(57)【要約】【課題】熱やプレス圧を維持するためのエネルギーを要することなく、ズボンを全体的にその厚みに沿って長時間かけてプレスして綺麗な折り目を付けることができ、収納具としても機能する取り扱いの簡易なズボンプレス整形具を得る。【解決手段】非通気性で柔軟なプラスチックフィルムからなる四角形状の袋体２と、該袋体２の表面に設けた、掃除機の吸引ホースで袋体２の内部空気を吸引するための逆止弁１０とを備えたズボンプレス整形具。袋体２は三辺２ａ，２ｂ，２ｃを溶着又は接着により密封され、一辺の開口部２ｄには密封機能を有する開閉自在なチャック７を備えている。袋体２の内部空気が吸引された後、逆止弁１０は袋体２の内部を長時間減圧状態に保持し、プラスチックフィルムが収納されたズボン５０の表面に沿って密着する。【選択図】図１
2007209561.tif 000002
【特許請求の範囲】
【請求項１】
非通気性で柔軟なプラスチックフィルムからなるほぼ四角形状の袋体と、該袋体の一部分に設けた、吸引具で袋体の内部空気を吸引するための逆止弁と、を備え、
前記袋体は三辺を溶着又は接着により密封され、一辺を開口部とされ、該開口部に密封機能を有する開閉自在なチャックを備え、
前記逆止弁は前記袋体内部を長時間減圧状態に保持し、前記プラスチックフィルムが収納されたズボンの表面に沿って密着すること、
を特徴とするズボンプレス整形具。
【請求項２】
前記吸引具は掃除機であることを特徴とする請求項１に記載のズボンプレス整形具。
【請求項３】
前記プラスチックフィルムは透明であることを特徴とする請求項１又は請求項２に記載のズボンプレス整形具。
【請求項４】
前記袋体にハンガーを取り付けたことを特徴とする請求項１ないし請求項３のいずれかに記載のズボンプレス整形具。
【発明の詳細な説明】
【技術分野】
【０００１】
本発明は、ズボンプレス整形具、特に、ズボンに熱やプレス圧を維持するためのエネルギーを要することなく長時間かけて折り目を綺麗に付けることのできるズボンプレス整形具に関する。
【背景技術】
【０００２】
ズボンに折り目を付けるためには、アイロンを当てることが一般的であるが、熱を使うために、省エネ化に逆行し、安全性にも問題があり、かつ、生地にテカリが出たり傷んだりする。
【０００３】
そこで、ズボンを挟み込んでプレスする機能を備えた整形具が種々提案されている。特許文献１には、ポリエチレンの薄板で構成された収納袋からなり、収納袋に内部の空気を吸引するためのパイプと空気止栓を設けたズボンの真空パック整型器が記載されている。しかし、この整型器では、ズボンのプレスに薄板を用いているため、ズボンの厚みに沿って完全に密着してプレスすることができない。即ち、ズボンは折り目を付けたい２本の脚部を重ねると生地は４重の厚みになり、マチの部分を入れると部分的に８重の厚みになる。さらに、裾に折り返しがあると１２重、折り返しのマチ部分は１６重、また、腰部分も１６〜２４重の厚みがある。板状体でプレスすると、厚い部分にプレス圧が多く作用し、厚い部分に隣接した部分にはそれほどのプレス圧が作用することはなく、４重の脚部に綺麗な折り目を付けることは困難である。また、外部からズボンの皺を発見して手で押し延ばして整形しなおすことはできない。さらに、不使用時には整型器を折り畳んで収納しておくこともできない。
【０００４】
特許文献２には、空気圧で膨張する袋体を内蔵した衣類プレス器が記載されている。このプレス器は、空気圧でズボンの厚さに沿ったプレスが可能であるが、本体側挟持板と蓋側挟持板を備えているために大型になり、専用の加圧ポンプが必要となり、手軽に取り扱うことはできない。
【特許文献１】実開昭６２−５０８４号公報
【特許文献２】特開平１１−１２８０５２号公報
【発明の開示】
【発明が解決しようとする課題】
【０００５】
そこで、本発明の目的は、熱やプレス圧維持のためにエネルギーを使うことなく、ズボンを全体的にその厚みに沿ってプレスすることができて綺麗な折り目を付けることができ、収納具としても機能する取り扱いの簡易なズボンプレス整形具を提供することにある。
【課題を解決するための手段】
【０００６】
以上の目的を達成するため、本発明に係るズボンプレス整形具は、
非通気性で柔軟なプラスチックフィルムからなるほぼ四角形状の袋体と、該袋体の一部分に設けた、吸引具で袋体の内部空気を吸引するための逆止弁と、を備え、
前記袋体は三辺を溶着又は接着により密封され、一辺を開口部とされ、該開口部に密封機能を有する開閉自在なチャックを備え、
前記逆止弁は前記袋体内部を長時間減圧状態に保持し、前記プラスチックフィルムが収納されたズボンの表面に沿って密着すること、
を特徴とする。
【０００７】
本発明に係るズボンプレス整形具は、袋体の一辺のチャックを開けてズボンを折り畳んで収納し、掃除機の吸引ホースや手動の簡易な吸引ポンプを用いて袋体の表面に設けた逆止弁から内部の空気を吸引し、長時間（少なくとも１２時間、好ましくは２４時間以上）放置するという簡単な操作で、ズボンに折り目を付けることができ、そのまま収納しておくこともできる。熱やプレス圧の維持にエネルギーを使うことがないので、省エネ化に適合し、安全でもある。しかも、生地にテカリがでたり、傷むこともない。
【０００８】
特に、袋体は柔軟なプラスチックフィルムからなるため、ズボンの表面に沿って密着し、ズボンの厚い部分に隣接した薄い箇所でも綺麗に折り目を付けることができる。この点が板状体を使用する従来のプレス器と基本的に異なっている。しかも、袋体内部を減圧状態に長時間保持することによってズボンを整形するので、折り目が強く付く。また、何処の家庭にもある掃除機や手動の簡易な吸引ポンプを使用して簡単にズボンをプレスすることができる。さらに、薄型で重量も軽く、衣類掛けに吊り下げておくことも可能である。
【０００９】
本発明に係るズボンプレス整形具は、柔軟なプラスチックフィルムが透明であることが好ましい。収納したズボンの状態を外から目視して折り目のずれなどを容易にチェックできる。また、プラスチックフィルムが柔軟であることから、減圧状態のままでも、皺を押し延ばして手直しすることもできる。また、袋体にハンガーを取り付けてもよい。
【発明を実施するための最良の形態】
【００１０】
以下、本発明に係るズボンプレス整形具の実施例につき、添付図面を参照して説明する。
【００１１】
図１に本発明に係るズボンプレス整形具１の一実施例の平面を示し、図２にズボン５０を収納した状態の断面を示す。なお、図２においては、煩雑さを避けるためにズボン５０にハッチングを省略している。
【００１２】
このズボンプレス整形具１は、非通気性で柔軟なプラスチックフィルム３，４（例えば、透明なポリエチレンテレフタレートフィルムとポリエチレンフィルムとのラミネートフィルム）からなる長方形状の袋体２と、該袋体２の表面に設けた逆止弁１０とで構成されている。袋体２は三辺２ａ，２ｂ，２ｃを溶着又は接着により密封され、一辺を開口部２ｄとされ、該開口部２ｄに密封機能を有する開閉自在なチャック７を備えている。なお、図１において、斜線を付した部分が溶着部分である。
【００１３】
チャック７は、詳細を図示しないが、互いに嵌合／解除可能な凹部と凸部とをそれぞれ形成したテープを向かい合わせて開口部２ｄの内側に溶着したものであり、嵌合時に高い密封機能を有するものが種々市販されている。
【００１４】
逆止弁１０は、図示しない掃除機の吸引ホースで袋体２の内部空気を吸引するためのもので、例えば、本出願人の出願になる国際特許出願ＰＣＴ／ＪＰ２００４／１８３９９に詳しく開示されているものを使用することができる。この逆止弁１０は、袋体２の内部を減圧した状態で長時間保持し、減圧状態においてプラスチックフィルム３，４が収納されたズボン５０の表面に沿って密着し、強く挟み付ける。
【００１５】
ここで、ズボンプレス整形具１の使用方法について説明する。まず、図１（Ｂ）に示すように、開口部２ｄのチャック７を開けて、ズボン５０を折り目正しく畳んで袋体２に収納する。開口部２ｄのチャック７を閉止し、外部から折り目にずれや皺などがないか確認する。その後、掃除機の吸引ホースを逆止弁１０に押し当て、袋体２の内部空気を吸引する。内部空気が吸引された後、吸引ホースを逆止弁１０から離すと、逆止弁１０は袋体２の内部を負圧に保持する。フィルム３，４は透明であるために外からズボン５０を目視でき、このとき、ズボン５０の折り目などに不具合を発見すれば、チャック７を開いて内部の減圧を解除することで、何度でも折り目付けをやり直すことができる。また、プラスチックフィルム３，４が柔軟であることから、減圧状態のままで皺を押し延ばして手直しすることもできる。
【００１６】
本ズボンプレス整形具１によれば、袋体２の開口部２ｄに設けたチャック７を開けてズボン５０を折り畳んで収納し、掃除機の吸引ホースで逆止弁１０から袋体２の内部空気を吸引し、長時間放置しておくという簡単な操作で、ズボン５０に折り目を付けることができ、そのまま収納しておくこともできる。熱やプレス圧の維持にエネルギーを使うことがないので、省エネ化に適合し、安全でもある。しかも、生地にテカリがでたり、傷むこともない。ここで、長時間放置しておくとは、少なくとも１２時間、好ましくは２４時間以上である。このように長時間放置しておくことにより、折り目が強く、綺麗に付くことになる。
【００１７】
特に、袋体２は柔軟なプラスチックフィルム３，４からなるため、ズボン５０の表面に沿って密着し、ズボン５０の厚い部分に隣接した薄い箇所でも綺麗に折り目を付けることができる。図１（Ｂ）及び図２（Ｂ）に示すように、ズボン５０は折り目を付けたい２本の脚部を重ねるとその部分Ａの生地は４重の厚みになり、マチの部分を含めたＢは８重の厚みになる。さらに、裾部分Ｃは折り返しがあると１２重、折り返しのマチ部分Ｄは１６重、また、腰部分Ｅも１６〜２４重の厚みがある。従来の板状体でプレスすると、厚い部分Ｂにプレス圧が多く作用し、厚い部分Ｂに隣接した部分Ｂ’にはほとんどプレス圧が作用することはなく、脚部（部分Ａ）にも強いプレス圧をかけることは困難であり、綺麗な折り目を付けることはできない。
【００１８】
本ズボンプレス整形具１では、図２（Ｂ）に示すように、ズボン５０の全体に柔軟なプラスチックフィルム３，４が密着する点で、板状体を使用する従来のプレス器と基本的に異なっている。しかも、袋体２の内部を長時間減圧状態に保持することによってズボン５０を整形するので、折り目が強く付く。また、吸引ポンプや加圧ポンプを使用することなく、何処の家庭にもある掃除機を使用して簡易にズボン５０をプレスすることができる。
【００１９】
また、本ズボンプレス整形具１には、図３に示すように、袋体２の一辺２ａにプラスチック製のハンガー１５を溶着などで取り付けてもよい。このハンガー１５を使用することにより、ズボン５０を収納したままで、ズボンプレス整形具１を衣類掛けに吊り下げて保管おけば、より長時間かけてより綺麗な折り目が付く。
【００２０】
また、ズボンプレス整形具１においては、前記逆止弁１０に代えて、袋体２の一辺２ｃに２枚のプラスチックフィルムを重ね合わせた筒状の逆止弁２０を設けてもよい。この逆止弁２０に掃除機の吸引ホースを差し込んで袋体２の内部空気を吸引することができ、吸引後は袋体２の内部の負圧により２枚のフィルムが密着して一時的に逆止弁として機能し、この逆止弁２０の先端部を閉止すれば減圧状態を長時間保持できる。
【００２１】
（他の実施例）
なお、本発明に係るズボンプレス整形具は前記実施例に限定するものではなく、その要旨の範囲内で種々に変更できる。
【００２２】
特に、袋体の全体的な形状やチャックの細部あるいは逆止弁の細部の構造などは任意である。また、掃除機で吸引することに代えて、手動式の簡易な吸引ポンプを使用して袋体の内部を減圧するようにしてもよい。
【図面の簡単な説明】
【００２３】
【図１】本発明に係るズボンプレス整形具の一実施例を示し、（Ａ）は平面図、（Ｂ）はズボンを収納した状態を示す平面図である。
【図２】図１（Ｂ）のＸ−Ｘ断面図であり、（Ａ）は空気吸引前の状態を示し、（Ｂ）は空気吸引後の状態を示す。
【図３】本発明に係るズボンプレス整形具の他の実施例を示す平面図である。
【図４】本発明に係るズボンプレス整形具のさらに他の実施例を示す平面図である。
【符号の説明】
【００２４】
１…ズボンプレス整形具
２…袋体
２ｄ…開口部
３，４…プラスチックフィルム
７…チャック
１０，２０…逆止弁
１５…ハンガー
５０…ズボン
【図１】
2007209561.tif 000003
【図２】
2007209561.tif 000004
【図３】
2007209561.tif 000005
【図４】
2007209561.tif 000006